(57)【要約】【課題】見切り部材の接続において下地の面精度に影響を受けることなく良好な納まりにすることができる軒天見切り構造を得る。【解決手段】軒天４４と当該軒天４４の端部４４Ａに対向して配置された化粧胴差し４６（外装部材）との見切り部３４に沿って、第１軒天見切り材４８（第１見切り部材）及び第２軒天見切り材５０（第２見切り部材）が設けられている。ここで、第１軒天見切り材４８には、第１接続部材５２が、第２軒天見切り材５０には、第２接続部材５４がそれぞれ設けられており、第２接続部材５４を第１接続部材５２に接続することで、第１軒天見切り材４８を第２軒天見切り材５０に対して、互いに直交する高さ方向、幅方向及び長手方向の三方向に規制することができる。【選択図】図４
2014134074.tif 000002
【特許請求の範囲】
【請求項１】
軒天の端部と当該軒天の端部に対向して配置された外装部材との見切り部に沿って設けられ、軒天の端部の下方に略平行に配置された水平部と当該水平部の屋外側の端部から前記外装部材の裏面に沿って立ち上げられた立上り部とを含んで構成された第１見切り部材及び第２見切り部材と、
前記第１見切り部材の接続部位及び前記第２見切り部材の接続部位のいずれか一方に設けられた第１接続部材と、
前記第１見切り部材の接続部位及び前記第２見切り部材の接続部位のいずれか他方に設けられ、前記第１接続部材に接続されることにより前記第１見切り部材を前記第２見切り部材に対して前記見切り部の長手方向、前記水平部の板厚方向及び前記垂直部の板厚方向の三方向に規制する第２接続部材と、
を有する軒天見切り構造。
【請求項２】
前記第１接続部材及び前記第２接続部材の少なくとも一方は、部材の長手方向に見て屈曲形状に形成されている、
請求項１記載の軒天見切り構造。
【請求項３】
前記第１接続部材及び前記第２接続部材の少なくとも一方は、各々面当たりすることにより前記三方向に規制可能な複数の規制面を備えている、
請求項１又は請求項２記載の軒天見切り構造。
【請求項４】
前記第１接続部材と前記第２接続部材とはこれらの長手方向に差し込むことにより、前記三方向への規制がなされる、
請求項１〜請求項３のいずれか１項に記載の軒天見切り構造。
【請求項５】
前記第１見切り部材と前記第１接続部材との間には所定の第１の隙間が形成されていると共に、前記第２見切り部材と前記第２接続部材との間にも所定の第２の隙間が形成されており、
さらに、前記第１の隙間には前記第２接続部材が差し込まれ、前記第２の隙間には前記第１接続部材が差し込まれることにより、前記三方向への規制がなされている、
請求項１〜請求項４のいずれか１項に記載の軒天見切り構造。
【請求項６】
前記第１見切り部材と前記第１接続部材との間には所定の第１の隙間が形成されていると共に、前記第２見切り部材と前記第２接続部材との間でかつ前記第１の隙間と交差する方向に位置する所定の第２の隙間が形成されており、
さらに、前記第１の隙間には前記第２接続部材が差し込まれ、前記第２の隙間には前記第１接続部材が差し込まれることにより、前記三方向への規制がなされている、
請求項１〜請求項５のいずれか１項に記載の軒天見切り構造。
【請求項７】
前記第１接続部材及び前記第２接続部材のいずれか一方には、前記第１接続部材及び前記第２接続部材のいずれか他方との接続状態で当該第２接続部材における前記軒天側の先端部が係止される引掛け部が形成されている、
請求項１〜請求項６のいずれか１項に記載の軒天見切り構造。
【発明の詳細な説明】
【技術分野】
【０００１】
本発明は、軒天見切り構造に関する。
【背景技術】
【０００２】
従来、一対のけらば水切り板をその端面同士を対向させて配置し、両けらば水切り板をその接続部分の下面間にジョイント部材を重ねて接続するけらば水切り板の接続構造が知られている（例えば、特許文献１参照）。
【先行技術文献】
【特許文献】
【０００３】
【特許文献１】実開平４−１０５３３８号公報
【発明の概要】
【発明が解決しようとする課題】
【０００４】
しかしながら、上記特許文献１に開示されたけらば水切り板の接続構造では、接続部分において上下方向の相対変位の規制が不十分な箇所があるため、設置箇所に凹凸がある場合等には、接続部分とジョイント部材との間にずれが生じることがある。また、この接続構造におけるジョイント部材は、左右方向の変位を規制できる構成にはなっていないので、ジョイント部材が本来の設置位置からずれることがある。
【０００５】
本発明は上記事実を考慮し、見切り部材の接続において下地の面精度に影響を受けることなく良好な納まりにすることができる軒天見切り構造を得ることが目的である。
【課題を解決するための手段】
【０００６】
請求項１に記載の発明に係る軒天見切り構造は、軒天の端部と当該軒天の端部に対向して配置された外装部材との見切り部に沿って設けられ、軒天の端部の下方に略平行に配置された水平部と当該水平部の屋外側の端部から前記外装部材の裏面に沿って立ち上げられた立上り部とを含んで構成された第１見切り部材及び第２見切り部材と、前記第１見切り部材の接続部位及び前記第２見切り部材の接続部位のいずれか一方に設けられた第１接続部材と、前記第１見切り部材の接続部位及び前記第２見切り部材の接続部位のいずれか他方に設けられ、前記第１接続部材に接続されることにより前記第１見切り部材を前記第２見切り部材に対して前記見切り部の長手方向、前記水平部の板厚方向及び前記垂直部の板厚方向の三方向に規制する第２接続部材と、を有している。
【０００７】
請求項２に記載の発明に係る軒天見切り構造は、請求項１に記載の発明において、前記第１接続部材及び前記第２接続部材の少なくとも一方は、部材の長手方向に見て屈曲形状に形成されている。
【０００８】
請求項３に記載の発明に係る軒天見切り構造は、請求項１又は請求項２に記載の発明において、前記第１接続部材及び前記第２接続部材の少なくとも一方は、各々面当たりすることにより前記三方向に規制可能な複数の規制面を備えている。
【０００９】
請求項４に記載の発明に係る軒天見切り構造は、請求項１〜請求項３のいずれか１項に記載の発明において、前記第１接続部材と前記第２接続部材とはこれらの長手方向に差し込むことにより、前記三方向への規制がなされている。
【００１０】
請求項５に記載の発明に係る軒天見切り構造は、請求項１〜請求項４のいずれか１項に記載の発明において、前記第１見切り部材と前記第１接続部材との間には所定の第１の隙間が形成されていると共に、前記第２見切り部材と前記第２接続部材との間にも所定の第２の隙間が形成されており、さらに、前記第１の隙間には前記第２接続部材が差し込まれ、前記第２の隙間には前記第１接続部材が差し込まれることにより、前記三方向への規制がなされている。
【００１１】
請求項６に記載の発明に係る軒天見切り構造は、請求項１〜請求項５のいずれか１項に記載の発明において、前記第１見切り部材と前記第１接続部材との間には所定の第１の隙間が形成されていると共に、前記第２見切り部材と前記第２接続部材との間でかつ前記第１の隙間と交差する方向に位置する所定の第２の隙間が形成されており、さらに、前記第１の隙間には前記第２接続部材が差し込まれ、前記第２の隙間には前記第１接続部材が差し込まれることにより、前記三方向への規制がなされている。
【００１２】
請求項７に記載の発明に係る軒天見切り構造は、請求項１〜請求項６のいずれか１項に記載の発明において、前記第１接続部材及び前記第２接続部材のいずれか一方には、前記第１接続部材及び前記第２接続部材のいずれか他方との接続状態で当該第２接続部材における前記軒天側の先端部が係止される引掛け部が形成されている。
【００１３】
請求項１に記載の本発明によれば、第１見切り部材及び第２見切り部材は、水平部と立ち上がり部とを含んで構成され、そのうち、水平部は、軒天の端部と当該軒天の端部に対向して配置された外装部材との見切り部に沿って、軒天の端部の下方に略平行に配置される。また、立上り部は、水平部の屋外側の端部から外装部材の裏面に沿って立ち上げられて設けられている。このため、軒天の端部と外装部材との見切り部は、第１見切り部材及び第２見切り部材によって覆われる。これにより、当該見切り部の外観が良好になる。
【００１４】
ここで、本発明では、第１見切り部材及び第２見切り部材のいずれか一方には、第１接続部材が設けられており、他方には第２接続部材が設けられ、第１接続部材と第２接続部材とを接続することにより、第１見切り部材と第２見切り部材とが長手方向に接続される。さらに、第２接続部材が第１接続部材に接続された状態では、見切り部の長手方向、水平部の板厚方向及び垂直部の板厚方向の三方向に規制される。このため、軒天やその下地木の面精度が粗くても、第１見切り部材及び第２見切り部材はこれらの三方向へずれにくくなる。
【００１５】
請求項２に記載の本発明によれば、第１接続部材及び第２接続部材の少なくとも一方が、長手方向に見て屈曲形状に形成されている。これにより、当該第１見切り部材及び第２見切り部材の少なくとも一方は、他方に水平部の板厚方向及び垂直部の板厚方向の二方向に規制される。
【００１６】
請求項３に記載の本発明によれば、第１接続部材及び第２接続部材の少なくとも一方に設けられた複数の規制面が、各々面当たりする。これにより、第１見切り部材を第２見切り部材に対して、水平部の板厚方向及び垂直部の板厚方向の二方向に規制することができる上に、当該２方向に加え、見切り部の長手方向を含む三方向に規制することも可能となる。
【００１７】
請求項４に記載の本発明によれば、第１接続部材と第２接続部材とは、これらの長手方向に差し込まれる。このため、第１見切り部材と第２見切り部材とを容易に接続することができる。
【００１８】
請求項５に記載の本発明によれば、第１見切り部材と第１接続部材との間には所定の第１の隙間が形成されていると共に、第２見切り部材と第２接続部材との間にも所定の第２の隙間が形成されている。
【００１９】
ここで、本発明では、第１の隙間には第２接続部材が差し込まれ、第２の隙間には第１接続部材が差し込まれる。これにより、それぞれの接続部材が異なる方向を規制できるので、各部材の寸法及び取付け位置の制約を少なくすることができる。
【００２０】
請求項６に記載の本発明によれば、所定の第１の隙間と所定の第２の隙間とは、互いに交差する方向に形成されていると共に、第１の隙間には第２接続部材が差し込まれ、第２の隙間には第１接続部材が差し込まれる。これにより、第１接続部材及び第２接続部材は、第１見切り部材と第２見切り部材との接続において、異なる面同士を接続するので、当該第１見切り部材と第２見切り部材との接続時における２つの面相互間のずれを小さくすることができる。
【００２１】
請求項７に記載の本発明によれば、引掛け部が、第２接続部材における軒天側の先端部を係止する。これにより、第１見切り部材と第２見切り部材との接続においてガイドの役割を果たすことができる。
【発明の効果】
【００２２】
以上説明したように、請求項１に記載の本発明に係る軒天見切り構造では、軒天見切り部材の接続において、下地の面精度に影響を受けることなく良好な納まりにすることができるという優れた効果を有する。
【００２３】
請求項２に記載の本発明に係る軒天見切り構造では、第１見切り部材と第２見切り部材との接続部分における水平部の板厚方向及び垂直部の板厚方向の二方向の納まりを、良好にできるという優れた効果を有する。
【００２４】
請求項３に記載の本発明に係る軒天見切り構造では、第１見切り部材と第２見切り部材との接続部分における三方向の納まりを良好にすることもできるという優れた効果を有する。
【００２５】
請求項４に記載の本発明に係る軒天見切り構造では、現地での施行作業を容易に行うことができるという優れた効果を有する。
【００２６】
請求項５に記載の本発明に係る軒天見切り構造では、第１接続部材及び第２接続部材の製作及び取付け位置の寸法精度を緩和することができるという優れた効果を有する。
【００２７】
請求項６に記載の本発明に係る軒天見切り構造では、第１見切り部材と第２見切り部材との接続部分の外観品質を向上させることができるという優れた効果を有する。
【００２８】
請求項７に記載の本発明に係る軒天見切り構造では、第１見切り部材と第２見切り部材との接続作業の効率を上げることができるという優れた効果を有する。
【図面の簡単な説明】
【００２９】
【図１】第１実施形態に係る軒天見切り構造を示す拡大断面図（図３の１−１線に沿って切断した状態を示す拡大断面図）である。
【図２】本実施形態に係る軒天見切り構造が適用されたユニット建物を示す斜視図である。
【図３】図２に示されるユニット建物の正面図である。
【図４】第１実施形態に係る軒天見切り構造の要部を示す分解斜視図である。
【図５】第１実施形態に係る軒天見切り構造の接続状態を示す斜視図である。
【図６】図５の６−６線に沿って切断した状態を示す拡大断面図である。
【図７】図５の７−７線に沿って切断した状態を示す拡大断面図である。
【図８】第２実施形態に係る軒天見切り構造の要部を示す分解斜視図である。
【図９】第３実施形態に係る軒天見切り構造の要部を示す分解斜視図である。
【発明を実施するための形態】
【００３０】
＜第１実施形態＞
以下、図１〜図７を用いて、本発明に係る軒天見切り構造の第１実施形態について説明する。
【００３１】
図２には、本実施形態に係るユニット建物１０の全体斜視図が示されており、又図３には、図２に示されるユニット建物１０の正面図が示されている。これらの図に示されるように、本実施形態に係るユニット建物１０は、基礎１７上に複数個の下階側の建物ユニット１４を据え付けた後に、当該下階側の建物ユニット１４上に複数個の上階側の建物ユニット１６を据え付けることにより構成されている。さらに、上記ユニット建物１０の上階側の建物ユニット１６の妻側の側面には、本発明に係る軒天見切り構造が適用されたバルコニ１２が、片持ち支持された状態で張り出されている。
【００３２】
図１には、上記バルコニ１２の軒天見切り構造が拡大して示されている。なお、図１は、図３の１−１線に沿って切断したときの縦断面図である。この図に示されるように、バルコニ１２は、平面視で矩形状に形成されたバルコニ床１８と、平面視でコ字状に形成されてバルコニ床１８の周縁部に配置された腰壁２４と、を含んで構成されている。
【００３３】
より具体的に説明すると、バルコニ床１８は、平面視で矩形の格子状に組まれたバルコニ床フレーム２０を備えている。このバルコニ床フレーム２０の先端部には、溝型鋼で構成された大梁２１が配置されている。大梁２１のウェブ２１Ａの屋外側の面の下部には、腰壁２４の骨格を構成する腰壁フレーム２６の下部に配置されたアングル状の横桟２６Ａが当接状態で配置されている。これに対応して、大梁２１のウェブ２１Ａの屋内側の面の下部には、横桟２６Ａの縦壁と重なる位置にウエルドナット２３が溶接されている。そして、ボルト４０がウエルドナット２３に螺合されることにより、腰壁フレーム２６がバルコニ床フレーム２０に固定されている。
【００３４】
上述したバルコニ床フレーム２０の下方には、板材で構成された軒天４４が平行に配置されている。軒天４４の端部４４Ａの上面には、木材で構成された軒天下地材３６が一部屋外側へ突出した状態で配置されている。さらに、軒天下地材３６の上面には、アングル状の軒天下地受金具２２が載置されている。そして、軒天下地材３６の下方側からタッピンネジ３８が螺入されて軒天下受地金具２２の下部２２Ｂ側に固定されている。なお、軒天４４は、軒天下地材３６の下面に接着剤等によって取り付けられている。このようにして構成された軒天サブアッセンブリ４２は、軒天下地受金具２２の上部２２Ａが横桟２６Ａの下部と共に、大梁２１のウェブ２１Ａにボルト４０及びウエルドナット２３で共締めされている。
【００３５】
また、腰壁フレーム２６の外板２８の下部裏面には、アングル状の下地フレーム２９が配置されている。さらに、外板２８の裏面と下地フレーム２９との間には、防水シート３２の上端部が挟持された状態で配置されており、この状態で外板２８がタッピンネジ３０で下地フレーム２９に固定されている。防水シート３２の下端部は、軒天下地材３６の屋外側の面に配置されて、後述する第１軒天見切り材４８の垂直部４８Ａ及び第２軒天見切り材５０の垂直部５０Ａとの間に挟持されている。
【００３６】
また、軒天４４の先端部側には、所定幅の化粧胴差し４６が所定の間隔をあけて配設されている。化粧胴差し４６の下端は、軒天４４の下面よりも低い位置に位置されており、又化粧胴差し４６の上端は、外板２８の下端よりも若干高い位置に位置されている。
【００３７】
上述した軒天４４の端部４４Ａと化粧胴差し４６との見切り部３４には、本発明の要部を構成する第１見切り部材としての第１軒天見切り材４８及び第２見切り部材としての第２軒天見切り材５０が配設されている。以下、これらの第１軒天見切り材４８及び第２軒天見切り材５０を中心とした軒天見切り構造について詳細に説明する。
【００３８】
図４に示されるように、第１軒天見切り材４８は、長手方向に対して直交する方向で切断したときの縦断面形状が略Ｌ字状に形成されており、構造的には建物外壁面に沿って平行に配置された垂直部４８Ａと、この垂直部４８Ａの下端部から直角に屈曲された水平部４８Ｂと、水平部４８Ｂの先端部から垂直部４８Ａ側へ平行に折り返された屈曲部４８Ｃと、によって構成されている。垂直部４８Ａは、軒天下地材３６の屋外側の面に防水シート３２の下部を介して当接状態で配置されている。また、水平部４８Ｂは、軒天４４の下面に対して平行に配置されている。さらに、屈曲部４８Ｃの上端は軒天４４の下面に当接されている。一方、第２軒天見切り材５０も、第１軒天見切り材４８と同一断面形状の長尺状の部材として構成されており、垂直部５０Ａと水平部５０Ｂと屈曲部５０Ｃとによって構成されている。上記第１軒天見切り材４８及び第２軒天見切り材５０が組付けられた状態では、軒天下地材３６の突出部分及び軒天４４の端部４４Ａが建物下方側から覆われている。
【００３９】
上述した第１軒天見切り材４８における第２軒天見切り材５０との接続部位には第１接続部材５２が取り付けられており、又第２軒天見切り材５０における第１軒天見切り材４８との接続部位には第２接続部材５４が取り付けられている。
【００４０】
第１接続部材５２の縦断面形状はＬ字状とされており、垂直部５２Ａと水平部５２Ｂとを備えている。水平部５２Ｂは矩形平板状とされており、第１軒天見切り材４８の長手方向に沿った一方の端部５２Ｂ１は第１軒天見切り材４８の長手方向の端部から所定長さ突出されており、他方の端部５２Ｂ２は狭幅の矩形平板によって構成されたスペーサ６２を介して第１軒天見切り材４８の水平部４８Ｂに図示しない接着剤等によって固定されている。従って、第１軒天見切り材４８の上面と第１接続部材５２の水平部５２Ｂの下面との間には、スペーサ６２の側方に当該スペーサ６２の厚さに相当する隙間５８が形成されている。また、第１接続部材５２の垂直部５２Ａも矩形平板状とされており、水平部５２Ｂと同様に一方の端部５２Ａ１は第１軒天見切り材４８の垂直部４８Ａから所定長さ突出されている。また、垂直部５２Ａの屋外側の面は図示しない接着剤等によって第１軒天見切り材４８の垂直部４８Ａの屋内側の面に固定されている。
【００４１】
一方、第２接続部材５４の縦断面形状もＬ字状とされているが、Ｌ字の向きが異なるように第２軒天見切り材５０上に配置されている。具体的には、第２接続部材５４は、第２軒天見切り材５０の水平部５０Ｂの上面に当接状態で配置された水平部５４Ｂと、この水平部５４Ｂの一方の端部から腰壁２４側へ屈曲された引掛け部としての屈曲部５４Ａと、によって構成されている。水平部５４Ｂ及び屈曲部５４Ａはいずれも第２軒天見切り材５０の長手方向の端部から突出した状態で配置されており、突出方向の先端に位置する端面６４を備えている。また、水平部５４Ｂの幅方向（屋外側）の端面６６は第２軒天見切り材５０の垂直部５０Ａの屋内側の面の下端部に当接されており、又屈曲部５４Ａの屋内側の面は第２軒天見切り材５０の屈曲部５０Ｃに当接されている。従って、第２接続部材５４の全体の幅方向寸法Ｌ４は、第２軒天見切り材５０の垂直部５０Ａと屈曲部５０Ｃとの距離に等しくなるように設定されている。なお、第２軒天見切り材５０の垂直部５０Ａと屈曲部５０Ｃとの距離は、第１軒天見切り材４８の垂直部４８Ａと屈曲部４８Ｃとの距離Ｌ２でもある。
【００４２】
第１接続部材５２と第２接続部材５４との相互関係について説明すると、第１接続部材５２の水平部５２Ｂの下方に形成された隙間５８の間隙幅Ｌ１は、第２接続部材５４の水平部５４Ｂの突出長さＬ３に等しくなるように設定されている。また、第２接続部材５４の水平部５４Ｂの厚さｔ１は、隙間５８の間隙寸法ｈ１に等しくなるように設定されている。
【００４３】
次に、本実施形態の作用・効果について説明する。
【００４４】
上記構成の本実施形態では、図５に示されるように、第２接続部材５４が、第１接続部材５２に第１軒天見切り材４８の長手方向に接続されることにより、第１軒天見切り材４８と第２軒天見切り材５０とが相互に接続される。このとき、第１軒天見切り材４８は、第２軒天見切り材５０に対して、互いに直交する高さ方向、長手方向及び幅方向の三方向に規制される。
【００４５】
図４〜図７を用いて具体的に説明すると、隙間５８の間隙幅Ｌ１は、第２接続部材５４における水平部５４Ｂの突出長さＬ３に等しくなるように設定され、又第２接続部材５４の全体の幅方向寸法Ｌ４は、第１軒天見切り材４８の垂直部４８Ａと屈曲部４８Ｃとの距離Ｌ２に等しくなるように設定されている。さらに、第２接続部材５４の水平部５４Ｂの厚さｔ１は、隙間５８の間隙寸法ｈ１に等しくなるように設定されている。このため、第１軒天見切り材４８と第２軒天見切り材５０とを接続する際には、水平部５４Ｂにおける第２軒天見切り材５０の端部から突出した部分を隙間５８に差し込めば（嵌合すれば）よい。当該突出した部分を隙間５８に差し込むと、第２接続部材５４の端面６４がスペーサ６２の側面に面当たりして第１接続部材５２及び第２接続部材５４は相互に接続状態となる。この状態では、第１軒天見切り材４８と第２軒天見切り材５０とが前記三方向に規制され、正確に位置決めされた状態となる。
【００４６】
このように、本実施形態では、第１接続部材５２が第２接続部材５４に接続されることにより、第１軒天見切り材４８は、第２軒天見切り材５０に対して互いに直交する高さ方向、長手方向及び幅方向の三方向に規制される。その結果、第１軒天見切り材４８と第２軒天見切り材５０との接続において下地の面精度に影響を受けることなく良好な納まりにすることができると共に、接続部分の外観品質を向上させることができる。
【００４７】
また、本実施形態では、第１軒天見切り材４８と第２軒天見切り材５０との接続時には、水平部５４Ｂにおける第２軒天見切り材５０の端部から突出した部分が隙間５８に差し込まれる（嵌合される）。これにより、第１軒天見切り材４８と第２軒天見切り材５０とを容易に接続することができ、その結果、現地での施工作業を容易に行うことができる。
【００４８】
さらに、本実施形態では、図６に示されるように、第２接続部材５４の屈曲部５４Ａが第１軒天見切り材４８の屈曲部４８Ｃに係止される構造を採ったので、第１軒天見切り材４８と第２軒天見切り材５０との接続時に屈曲部５４Ａがガイドの役割を果たす。その結果、本実施形態によれば、第１軒天見切り材４８と第２軒天見切り材５０との接続作業の効率を上げることができる。
【００４９】
＜第２実施形態＞
次に、図８を用いて、本発明に係る軒天見切り構造の第２実施形態について説明する。なお、前述した第１実施形態と同一構成部分については、同一の番号を付してその説明を省略する。
【００５０】
図８に示されるように、この第２実施形態では、第２接続部材が分割されている点に第１の特徴がある。また、第１軒天見切り材４８及び第２軒天見切り材５０の縦断面形状がＬ字状に形成されており、第１実施形態では備えていた屈曲部４８Ｃが設けられていない点に第２の特徴がある。
【００５１】
具体的に説明すると、第２軒天見切り部材５０における第１軒天見切り材４８との接続部位には、矩形平板状に形成された第２接続部材としての第１平板部材７２と、同じく矩形平板状に形成された第２接続部材としての第２平板部材７４とが取り付けられている。
【００５２】
第１平板部材７２において第２軒天見切り材５０の長手方向に沿った一方の端部７２Ａは、第２軒天見切り材５０の長手方向の端部から所定長さ突出されている。また、第２軒天見切り材５０において第２軒天見切り材５０の長手方向に沿った他方の端部７２Ｂは、狭幅の矩形平板によって構成されたスペーサ７６を介して第２軒天見切り材５０の垂直部５０Ａに図示しない接着剤等によって固定されている。従って、垂直部５０Ａにおける屋内側の面と第１平板部材７２における屋外側の面との間には、スペーサ７６の厚さに相当する隙間８２が当該スペーサ７６の端面７８の側方に形成されている。なお、第１平板部材７２の上端及びスペーサ７６の上端は、第２軒天見切り材５０の上端と揃うように配置されている。
【００５３】
また、第２平板部材７４において第２軒天見切り材５０の長手方向に沿った一方の端部７４Ａは、第２軒天見切り材５０の長手方向の端部から所定長さ突出されている。第２平板部材７４において第２軒天見切り材５０の長手方向に沿った他方の端部７４Ｂは、第２軒天見切り材５０の水平部５０Ｂに図示しない接着剤等によってスペーサを介することなく直接固定されている。また、第２平板部材７４の一方の端部７４Ａの端面８０は、第１接続部材５２と第１平板部材７２及び第２平板部材７４との接続時に第１軒天見切り部材４８側のスペーサ６２と当接するようになっている。
【００５４】
第１接続部材５２と第１平板部材７２及び第２平板部材７４との相互関係について説明すると、隙間８２の間隙幅Ｌ７は、第１接続部材５２における垂直部５２Ａの突出長さＬ５と等しくなるように設定されている。さらに、第２平板部材７４の突出長さＬ６は、隙間５８の間隙幅Ｌ１と等しくなるように設定されている。また、隙間８２の間隙寸法ｈ３は、第１接続部材５２の垂直部５２Ａの厚さｔ３と等しくなるように設定され、第２平板部材７４の厚さｔ２は、隙間５８の間隙寸法ｈ１と等しくなるように設定されている。また、第１平板部材７２と第２平板部材７４との間隙寸法ｈ４は、水平部５２Ｂの厚さｔ４と等しくなるように設定されている。
【００５５】
次に、本実施形態の作用・効果について説明する。
【００５６】
図８を用いて説明すると、隙間５８の間隙幅Ｌ１は、第２平板部材７４の突出長さＬ６と等しくなるように設定されると共に、隙間５８の間隙寸法ｈ１は、第２平板部材７４の厚さｔ２と等しくなるように設定されている。また、隙間８２の間隙幅Ｌ７は、第１接続部材５２における垂直部５２Ａの突出長さＬ５と等しくなるように設定されると共に、隙間８２の間隙寸法ｈ３は、第１接続部材５２の垂直部５２Ａの厚さｔ３と等しくなるように設定されている。さらに、第１平板部材７２と第２平板部材７４との間隙寸法ｈ４は水平部５２Ｂの厚さｔ４と等しくなるように設定されている。このため、第１軒天見切り材４８と第２軒天見切り材５０との接続時には、垂直部５２Ａにおける第１軒天見切り材４８の端部から突出した部分が隙間８２に嵌合される（差し込まれる）と共に、第２平板部材７４における第２軒天見切り材５０の端部から突出した部分が隙間５８に嵌合される（差し込まれる）。その結果、第１軒天見切り材４８を第２軒天見切り材５０に対して、互いに直交する高さ方向及び幅方向に規制することができる。さらにこのとき、第２平板部材７４の端面８０はスペーサ６２に面当たりすると共に、スペーサ７６の端面７８が垂直部５２Ａに面当たりしているので、第１軒天見切り材４８を第２軒天見切り材５０に対して長手方向（でかつ互いに接続される方向）に規制することができる。
【００５７】
以上により、本実施形態でも、屈曲部５４Ａによる作用・効果を除き、前述した第１実施形態と同様の作用・効果が得られる。
【００５８】
加えて、本実施形態では、第１平板部材７２を垂直部５２Ａの幅からｈ１とｔ４とを足した長さ分だけ短い長さ以下にしておけば、第１軒天見切り材４８を第２軒天見切り材５０に対して幅方向に規制することができる。つまり、第１平板部材７２の高さ方向寸法及び取付け位置は、十分な強度が得られる範囲で、かつ、垂直部５２Ａの高さに収まる範囲で、任意に設定することができるので、第１平板部材７２の寸法及び取付け位置の制約を少なくすることができる。
【００５９】
また、第２平板部材７４は、水平部５２Ｂの幅に収まる範囲に設けられていれば、第１軒天見切り材４８は、第２軒天見切り材５０に対して、高さ方向に規制される。つまり、第２平板部材７４の幅方向寸法及び取付け位置は、十分な強度が得られる範囲で、かつ、水平部５２Ｂの幅に収まる範囲で、任意に設定することができるので、第２平板部材７４の寸法及び取付け位置の制約を少なくすることができる。
【００６０】
これらにより、本実施形態では、第１軒天見切り材４８と第２軒天見切り材５０との接続において、第１平板部材７２及び第２平板部材７４がそれぞれ異なる方向を規制することができるので、第２接続部材の製作及び取付け位置の寸法精度を緩和することができる。
【００６１】
さらに、本実施形態では、第１軒天見切り材４８と第２軒天見切り材５０との接続において、垂直部５２Ａが隙間８２に嵌合され、第２平板部材７４における第２軒天見切り材５０の端部から突出した部分が隙間５８に嵌合されることで、第１軒天見切り材４８及び第２軒天見切り材５０の異なる面同士を接続し、接続時における各面相互間のずれを小さくすることができる。これにより、第１軒天見切り材４８と第２軒天見切り材５０との接続部分の外観品質を向上させることができる。
【００６２】
＜第３の実施形態＞
次に、図９を用いて、本発明に係る軒天見切り構造の第３実施形態について説明する。なお、前述した第１実施形態と同一構成部分については、同一の番号を付してその説明を省略する。
【００６３】
図９に示されるように、この第３実施形態では、第２接続部材の縦断面形状が略Ｌ字状にされている点に第１の特徴がある。また、第１軒天見切り材４８に設けられたスペーサの縦断面形状がＬ字状にされている点に第２の特徴がある。さらに、第１軒天見切り材４８及び第２軒天見切り材５０の縦断面形状がＬ字状に形成されており、第１実施形態では備えていた屈曲部４８Ｃが設けられていない点に第３の特徴がある。
【００６４】
具体的に説明すると、第２軒天見切り部材５０における第１軒天見切り材４８との接続部位には、縦断面形状が略Ｌ字状に形成された第２接続部材９４が取り付けられている。
【００６５】
第２接続部材９４は、第２軒天見切り部材５０の長手方向に対して直交する方向で切断したときの縦断面形状が略Ｌ字状に形成されており、構造的には第２軒天見切り材５０の垂直部５０Ａに沿って配置された垂直部９４Ａと、この垂直部９４Ａの下端部から直角に屈曲された水平部９４Ｂと、水平部９４Ｂの先端部から垂直部９４Ａ側へ平行に折り返された引掛け部としての屈曲部９４Ｃと、によって構成されている。水平部９４Ｂは矩形平板状とされており、第２軒天見切り材５０の長手方向に沿った一方の端部９４Ｂ２は第２軒天見切り材５０の長手方向の端部から所定長さＬ９突出されており、他方の端部９４Ｂ１は第２軒天見切り材５０の水平部５０Ｂに図示しない接着剤等によって固定されている。また、第２接続部材９４の垂直部９４Ａも矩形平板状とされており、水平部９４Ｂと同様に一方の端部９４Ａ２は第２軒天見切り材５０の垂直部５０Ａから所定長さＬ９突出されている。なお、垂直部９４Ａの屋外側の面は図示しない接着剤等によって第２軒天見切り材５０の垂直部５０Ａの屋内側の面に固定されている。第２接続部材９４の屈曲部９４Ｃも矩形平板状とされているが、その高さは垂直部９４Ａの高さよりも低く設定されている。さらに、第２接続部材９４は、垂直部９４Ａ、水平部９４Ｂ及び屈曲部９４Ｃの突出方向の先端に位置する端面９８を備えている。また、垂直部９４Ａと屈曲部９４Ｃとの距離Ｌ１１は、第１接続部材５２の全体の幅方向寸法Ｌ１０に等しくなるように設定されている。
【００６６】
一方、スペーサ９６は、第１軒天見切り材４８の垂直部４８Ａに沿って平行に配置された垂直部９６Ａと、この垂直部９６Ａの下端部から直角に屈曲された水平部９６Ｂと、によって構成されている。垂直部９６Ａは狭幅の矩形平板にされており、第１軒天見切り材４８の垂直部４８Ａと垂直部５２Ａにおける端部５２Ａ１と反対側の端部５２Ａ２の屋外側の面との間に図示しない接着剤等によって固定されている。また、水平部９６Ｂも狭幅の矩形平板にされており、第１軒天見切り材４８の水平部４８Ｂと水平部５２Ｂにおける端部５２Ｂ２の下面との間に図示しない接着剤等によって固定されている。従って、スペーサ９６の側方かつ垂直部５２Ａの屋外側には、当該スペーサ９６の厚さに相当する隙間１００Ａが形成され、スペーサ９６の側方かつ水平部５２Ｂの下方にも当該スペーサ９６の厚さに相当する隙間１００Ｂが形成されている。本実施形態では、これら２つの隙間１００Ａ、１００Ｂを含み縦断面形状がＬ字状とされた隙間１００が形成されている。
【００６７】
第１接続部材５２と第２接続部材９４との相互関係について説明すると、第１接続部材５２の下方に形成された隙間１００の間隙幅Ｌ８は、第２接続部材９４の突出長さＬ９に等しくなるように設定されている。また、第２接続部材９４の垂直部９４Ａの厚さｔ６は、隙間１００Ａの間隙寸法ｈ６に等しくなるように設定され、第２接続部材９４の水平部９４Ｂの厚さｔ５は、隙間１００Ｂの間隙寸法ｈ５に等しくなるように設定されている。
【００６８】
次に、本実施形態の作用・効果について説明する。
【００６９】
図９を用いて説明すると、隙間１００の間隙幅Ｌ８は、第２接続部材９４の突出長さＬ９に等しくなるように設定されている。さらに、隙間１００Ａの間隙寸法ｈ６は、第２接続部材９４の垂直部９４Ａの厚さｔ６と等しくされると共に、隙間１００Ｂの間隙寸法ｈ５は、第２接続部材９４の水平部９４Ｂの厚さｔ５に等しくなるように設定されている。このため、第１軒天見切り材４８と第２軒天見切り材５０との接続時には、第２接続部材９４における第２軒天見切り材５０の端部から突出した部分が隙間１００に嵌合される。その結果、第１軒天見切り材４８を第２軒天見切り材５０に対して、互いに直交する高さ方向及び幅方向に規制することができる。さらにこのとき、第２接続部材９４の端面９８はスペーサ９６に面当たりしているので、第１軒天見切り材４８を第２軒天見切り材５０に対して長手方向に規制することができる。
【００７０】
また、第１軒天見切り材４８と第２軒天見切り材５０との接続時には、屈曲部９４Ｃが水平部５２Ｂの屋内側の端部に係止される。このため、屈曲部９４Ｃは、第１軒天見切り材４８と第２軒天見切り材５０との接続時にガイドの役割を果たすことができる。
【００７１】
以上により、本実施形態でも、前述した第１実施形態と同様の作用・効果が得られる。
【００７２】
加えて、本実施形態では、第１接続部材、第２接続部材及びスペーサの縦断面形状が、いずれも屈曲状にされている。これにより、第１軒天見切り材４８と第２軒天見切り材５０との接続時において、第１接続部及び第２接続部の長手方向に対する曲げ剛性を向上させることができる。その結果、第１軒天見切り材４８と第２軒天見切り材５０との接続部における長手方向に対する曲げによる変形を防止することができる。
【００７３】
＜上記実施形態の補足説明＞
【００７４】
（１）  上述した実施形態では、第１軒天見切り材４８及び第２軒天見切り材５０の長手方向に対して直交する方向で切断したときの縦断面形状は、略Ｌ字状及びＬ字状であったが、Ｚ字状やその他の形状の軒天見切り材に適用させるようにしてもよい。
【００７５】
（２）  上述した実施形態では、軒天見切り材及び接続部材の材質は明記していないが、板金や樹脂など性能を満足するものであればいずれの材質で製作してもよい。また、スペーサも同様に性能を満足するものであれば、いずれの材質で製作してもよい。また、軒天見切り材及び接続部材の材質を板金にし、スペーサの材質をゴムにする等適宜複数の素材を組み合わせて製作してもよい。さらに、各部材の固定方法も、接着剤に限らず、材質によってスポット溶接や両面テープ等を適宜用いてもよい。
【符号の説明】
【００７６】
３４      見切り部
４４      軒天
４４Ａ    端部（軒天の端部）
４６      化粧胴差し（外装部材）
４８      第１軒天見切り材（第１見切り部材）
４８Ａ    垂直部（立上り部）
４８Ｂ    水平部
４８Ｃ    屈曲部（立上り部）
５０      第２軒天見切り材（第２見切り部材）
５０Ａ    垂直部（立上り部）
５０Ｂ    水平部
５０Ｃ    屈曲部（立上り部）
５２      第１接続部材
５４      第２接続部材
５４Ａ    屈曲部（引掛け部）
５８      隙間（第１の隙間）
６４      端面（規制面）
６６      端面（規制面）
７２      第１平板部材（第２接続部材）
７４      第２平板部材（第２接続部材）
７８      端面（規制面）
８０      端面（規制面）
８２      隙間（第２の隙間）
９４      第２接続部材
９４Ｃ    屈曲部（引掛け部）
９８      端面（規制面）
１００    隙間（第１の隙間）
【図１】
2014134074.tif 000003
【図２】
2014134074.tif 000004
【図３】
2014134074.tif 000005
【図４】
2014134074.tif 000006
【図５】
2014134074.tif 000007
【図６】
2014134074.tif 000008
【図７】
2014134074.tif 000009
【図８】
2014134074.tif 000010
【図９】
2014134074.tif 000011